【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
誘電体材料の蒸発のための堆積設備であって、
蒸気分配シャワーヘッドと、
前記誘電体材料を前記蒸気分配シャワーヘッドに提供するためのホルダであって、前記誘電体材料を前記蒸気分配シャワーヘッド内に供給するための供給ユニットを有するホルダと、
前記誘電体材料を前記蒸気分配シャワーヘッドで融解及び蒸発させる、若しくは前記誘電体材料を前記蒸気分配シャワーヘッドで昇華させるように構成されるエネルギー源であって、前記蒸気分配シャワーヘッドは、気化した前記誘電体材料を基板に向けるための一つ又は複数の排気口を有する、エネルギー源と、
前記蒸気分配シャワーヘッドと前記基板との間にプラズマを提供するように構成されるプラズマ源と
を備える、堆積設備。
【請求項２】
前記蒸気分配シャワーヘッドは、直線的蒸気分配シャワーヘッドである、請求項１に記載の設備。
【請求項３】
前記蒸気分配シャワーヘッドは、細長い管又は直方体である、請求項１又は２に記載の設備。
【請求項４】
前記ホルダは、るつぼであり、当該るつぼは、当該るつぼを冷却するための冷却要素を有する、請求項１から３の何れか一項に記載の設備。
【請求項５】
前記プラズマ源は、前記蒸気分配シャワーヘッド及び対向電極にバイアスをかけることにより提供される、請求項１から４の何れか一項に記載の設備。
【請求項６】
前記プラズマ源は、前記蒸気分配シャワーヘッドと前記基板との間に設けられる処理領域に提供される、請求項１から５の何れか一項に記載の設備。
【請求項７】
前記プラズマ源は、遠隔プラズマ源である、請求項１から６の何れか一項に記載の設備。
【請求項８】
前記誘電体材料は、Ｌｉ３ＰＯ４又はＬＣＯである、請求項１から７の何れか一項に記載の設備。
【請求項９】
誘電体材料の蒸発のための及び誘電体材料の基板上への堆積のための堆積装置であって、
前記誘電体材料を前記基板上に堆積させるための真空チャンバと、
前記チャンバに提供される基板支持体と、
請求項１から８の何れか一項に記載の堆積設備と
を備える、堆積装置。
【請求項１０】
前記真空チャンバに設けられる基板支持体システムであって、前記基板又は前記真空チャンバの前記基板を運ぶキャリアの垂直支持のために構成される、基板支持体システム
を更に備える、請求項９に記載の装置。
【請求項１１】
誘電体材料を蒸発させる方法であって、
前記誘電体材料を蒸気分配シャワーヘッド内に供給することと、
前記誘電体材料を前記蒸気分配シャワーヘッドで液化及び蒸発させる、若しくは前記材料を前記蒸気分配シャワーヘッドで昇華させることと、
前記誘電体材料の蒸気を基板に向けることと
を含む、方法。
【請求項１２】
前記蒸気分配シャワーヘッドは、１１００℃から１５００℃までの温度に加熱される、請求項１１に記載の方法。
【請求項１３】
前記誘電体材料は、Ｌｉ３ＰＯ４又はＬＣＯである、請求項１１又は１２に記載の方法。
【請求項１４】
前記蒸気分配シャワーヘッドと前記基板との間にプラズマを提供すること
を更に含む、請求項１１から１３の何れか一項に記載の方法。
【請求項１５】
電子の衝突は、電子銃により提供される、請求項１１から１４の何れか一項に記載の方法。
【手続補正２】
【補正対象書類名】明細書
【補正対象項目名】０００５
【補正方法】変更
【補正の内容】
【０００５】
[０００５]  誘電体、誘電体を含むリチウム、及び他のアルカリ金属又はアルカリ土類金属の誘電体のための一般的な堆積システムはそれぞれ、スパッタリング源又は従来の点源に基づく蒸発源、及びその操作方法を利用する。リチウムを含む材料の蒸発方法は、Ｌｉ含有誘電体の高い温度及び／又はＬｉの反応性を考慮すると、特にコスト及び製造可能性に関して、困難である。しかしながら、焼結ターゲットのスパッタリングは、ターゲットシステムの熱安定性により制限されるだろう。熱安定性の制限は、安定したスパッタリング作業に対する電力密度の上限に、更には、制限される堆積速度につながる可能性がある。
【手続補正３】
【補正対象書類名】明細書
【補正対象項目名】０００６
【補正方法】変更
【補正の内容】
【０００６】
[０００６]  多元素誘電体、例えば、リチウム含有誘電体などのための従来の蒸発方法は、蒸気相に提供されるときに、そのような材料が非常に高い温度を要求するという不都合を被る。更に、通常、点源を利用するであろうシステムは、大量生産まで拡大するための均一性及び製造可能性を達成することは複雑なため、困難となる。蒸発源への材料供給管理の必要性が課題となる。しかし、蒸発源への材料供給管理が、大量生産及び高稼働時間生産に望ましい。
【手続補正４】
【補正対象書類名】明細書
【補正対象項目名】００１５
【補正方法】変更
【補正の内容】
【００１５】
[００２３]  本明細書中で説明される実施形態によれば、装置及び方法は、誘電体材料及び／又はセラミックの蒸発のために特に有益であり得、この場合、以下でより詳細に説明されるように、誘電体材料及び／又はセラミックは、シャワーヘッドに直接提供され、シャワーヘッドで融解及び蒸発する。誘電体材料及び／又はセラミックの通常高い蒸発温度に対して生じる問題を解決することができる。その上、装置内に供給され、シャワーヘッドで蒸発する原材料は、更に、様々な種類の材料層を提供するために反応性プロセスで処理ガスと反応することも可能である。原材料は、初期の誘電体材料及び／又はセラミックとすることができる。さらにまた、初期材料は、元素又は非誘電体化合物でもあり得る。装置及び方法は、以下でより詳しく説明されるように、下流の導管の数が減るときに、蒸発温度が高い元素及び化合物に特に役立つ。本明細書中で説明される他の実施形態と組み合わせることができる、本明細書中で説明される実施形態によれば、誘電体材料は、本明細書中で説明されるように蒸発又は昇華し、誘電体材料は、基板に堆積される。堆積される誘電体材料は、蒸発又は昇華する誘電体材料と同一の誘電体材料とすることができる。代替的には、蒸発又は昇華する電体材料は、別の誘電体材料が堆積されるように、例えば、プラズマにおいて、反応性プロセスに曝すことができる。しかしながら、所望の材料がプラズマにおいてそれぞれの反応性プロセスを伴い又は伴わずに堆積されるように、光子又は電子の衝突による蒸気分配シャワーヘッド内部での更なる蒸発及び昇華を、非誘電体材料又は元素に提供することもできる。これらの代替手段は、本明細書中で説明される設備、装置及び方法の実施形態と組み合わせることができる。
【手続補正５】
【補正対象書類名】明細書
【補正対象項目名】００１７
【補正方法】変更
【補正の内容】
【００１７】
[００２５]  基板位置決め装置１０７は、基板を、処理領域１０５内及び処理領域１０５を通って移動させ又は位置決めすることを可能にする。本発明の一つの実施形態では、処理チャンバは、基板を垂直に処理し、即ち、直線的分配シャワーヘッド１０６は、チャンバ内部に垂直に配置され、基板位置決め装置１０７は、基板１０４を、図１に示されるように、垂直処理位置で保持する。図１に示された配置は、処理中に生成される任意の粒子が、チャンバの底に向かって落下し、基板１０４を汚染しないであろうから、有益だと考えることができる。典型的な実施形態によれば、基板位置決め装置は、基板又は基板処理システムの一つ又は複数のチャンバを通してキャリア内に設けられる一つ又は複数の基板を有するキャリアを輸送するための磁気レールシステムとすることができる。したがって、いくつかの実施形態によれば、基板が処理ユニット、例えば、本明細書中で説明される実施形態による蒸発設備などを通過する、インライン処理システム及びインライン処理方法が提供される。
【手続補正６】
【補正対象書類名】明細書
【補正対象項目名】００１９
【補正方法】変更
【補正の内容】
【００１９】
[００２７]  電源１０８は、直流（ＤＣ）、交流（ＡＣ）、パルス直流（ｐ−ＤＣ）、高周波（ＲＦ）、電子サイクロトロン共鳴（ＥＣＲ）、又はマイクロ波、若しくはそれらの電源の組み合わせであり得る。電磁力は、処理ガス、即ち、蒸気がシャワーヘッド１０６で生成され、処理領域１０５内を通過し、基板１０４に向かうと、直線的シャワーヘッド１０６に提供される。これは、矢印１０９により示される。どのような種類の電源が選ばれようとも、チャンバは、電源が、プラズマ１３０が生成されるであろう方法で、エネルギーをプラズマ源に結合するように適合される必要がある。例えば、シャワーヘッド１０６及び基板（又は別の対向電極）を電源１０８に接続することができ、チャンバ本体１００を接地することができる。本明細書中で説明される他の実施形態と組み合わせることができるいくつかの実施形態によれば、基板支持体は対向電極として提供されてよい。本明細書中で説明される他の実施形態と組み合わせることができるいくつかの実施形態によれば、電源１０８をプラズマ源へ接続することに加え、基板又はそれぞれのキャリアに、バイアスをかけることができる。基板のバイアスは、プラズマ強化堆積特徴の更なる強化に利用することができる。例えば、プラズマ強化堆積特徴の更なる強化は、図２に示されるプラズマ源２１８が堆積装置に提供される場合に、更に提供することができる。
【手続補正７】
【補正対象書類名】明細書
【補正対象項目名】００２０
【補正方法】変更
【補正の内容】
【００２０】
[００２８]  プラズマ１３０生成のための代替的な又は更なる実施態様が、図２に示される。ここでは、プラズマ銃のようなプラズマ源２１８が、チャンバ本体１００に提供される。通常、プラズマ銃は、処理領域１０５に隣接して及び／又は処理領域１０５周囲に提供することができ、これによりプラズマ１３０が処理領域で生成される。本明細書中で説明される他の実施形態と組み合わせることができる典型的な実施形態によれば、プラズマ源は、ＤＣ結合プラズマ、誘導性結合プラズマ、容量性結合プラズマ、又はそれらの組み合わせとすることができる。プラズマは、例えば、直流放電、パルス直流放電、ＲＦ放電として、即ち、ＭＨｚの範囲で、又はマイクロ波放電として、即ち、ＧＨｚの範囲で、生成することができる。
【手続補正８】
【補正対象書類名】明細書
【補正対象項目名】００２２
【補正方法】変更
【補正の内容】
【００２２】
[００３０]  例えば、図１から図４及び図７から図８に示されるように、原材料をシャワーヘッドに直接供給することを考慮すると、本明細書中で説明される実施形態により、シャワーヘッド又は分配ノズルでの原材料の使用が可能になる。高価なターゲット製造プロセス（例えば、スパッタリング用の）を提供することに比べ、デバイス製作コスト全体のうちの材料コストが、重要な要因により削減されるだろう。コスト節約の一部は、ターゲットと比べると、改善された材料利用率からもたらされ、この場合、材料利用率が２０％から７５％までの範囲であるのに対して、蒸発のための材料利用率は、融解及び蒸発のみに起因し１００％だろう。更なるコスト節約は、蒸発器用の高い堆積速度、及び蒸発方法から生じる。したがって、本明細書中で説明される実施形態による親技術を含む所与のシステムのスループット及び容量は、より効率の高い設備投資、及び削減された全体コスト（所有コスト：ＣｏＯ）につながるだろう。安定したスパッタリング作業と比べて、電力密度の上限がないので、蒸発は、より高い堆積速度をもたらす。
【手続補正９】
【補正対象書類名】明細書
【補正対象項目名】００２３
【補正方法】変更
【補正の内容】
【００２３】
[００３１]  本明細書中で説明されるように、シャワーヘッドに基づく堆積システム及びプラズマ強化のための一つ又は複数の設備が提供される。プラズマ形成は、基板上に堆積される材料の正しい相形成を誘導するために使用することができる。さらに、プラズマ及び／又は基板のバイアスは、特にＬＣＯ及びＬｉＰＯＮについては、高密度化、滑らかな形態及び結晶化度（ＬＣＯに対する）のための原子の表面移動度を誘導するために必要なエネルギー供給をもたらすことができ、これは、所望の性能及び歩留りの電気化学層及びデバイスの製造にとって有益である。さらに、本明細書中で説明される実施形態によれば、蒸気源が提供され、これは、例えば、１１００℃、１３００℃又はそれ以上の高温にとって有益であり、高いスループット製造を提供することができる。例えば、いくつかの実施形態によれば、蒸気分配シャワーヘッドは１１００℃から１５００℃までの温度、特に約１３００℃に加熱される。
【手続補正１０】
【補正対象書類名】明細書
【補正対象項目名】００２５
【補正方法】変更
【補正の内容】
【００２５】
[００３３]  堆積システムは、蒸発設備３０６を含む。蒸発設備３０６は、シャワーヘッド１０６を含む。シャワーヘッドは、蒸気分配シャワーヘッドがより簡単にかつ均一に加熱できるように、例えば、熱絶縁体３３７内部に提供することができる。シャワーヘッドは、例えば、輻射ヒータのようなヒータ３３６により加熱される。原材料１２０は、矢印１２２により示されるように、シャワーヘッド内に提供される。原材料は、以下でより詳しく説明されるように、固体材料としてシャワーヘッド内に供給される。原材料は、るつぼ３５０のようなホルダに提供される。るつぼは、るつぼを冷却するための冷却要素３５２を有する。
【手続補正１１】
【補正対象書類名】明細書
【補正対象項目名】００２６
【補正方法】変更
【補正の内容】
【００２６】
[００３４]  本明細書中で説明される他の実施形態と組み合わせることができるいくつかの実施形態によれば、ホルダは、冷却された中空の円筒のような冷却されたるつぼとすることができる。中空の円筒がホルダとして提供される場合には、原材料は、供給ユニットで中空の円筒を通して供給、押圧、及び／又はスリット形成することができる。原材料の連続的又は準連続的供給が提供できる。
【手続補正１２】
【補正対象書類名】明細書
【補正対象項目名】００２９
【補正方法】変更
【補正の内容】
【００２９】
[００３７]  図３に示される実施形態では、原材料は、ｅ−ビームに基づく加熱により融解及び蒸発する。以後まず融解及び蒸発する代わりに昇華する材料のための設備、装置及び方法もまた、本明細書中で説明される実施形態に含まれると理解されるべきである。電子銃３４０は、電子ビーム３４１をるつぼ３５０の材料上に向ける。材料は、るつぼの融解領域を表す参照番号１２１により示されるように融解し、蒸気領域又は蒸発領域を表す参照番号１２１ｂにより示されるように蒸発する。蒸気は、蒸気分配器内部に分配し、ノズル３６０を通って基板に向けられる。いくつかの実施形態によれば、堆積される材料の蒸気は、基板１０４上に堆積される前に、処理領域のプラズマ１３０を通過する。
【手続補正１３】
【補正対象書類名】明細書
【補正対象項目名】００３１
【補正方法】変更
【補正の内容】
【００３１】
[００３９]  図４に示されるように、熱加熱要素４４０を加熱するための代替的又は追加の要素及び方法、若しくは熱加熱方法を提供することができる。加熱要素は、抵抗熱又は輻射熱とすることができる。加熱要素４４０は、熱エネルギーをるつぼ３５０の材料に供給するために、電源４４２に接続される。典型的な実施形態によれば、輻射加熱が提供され、この場合、光子は、融解及び蒸発する（又は昇華する）材料に衝突する。したがって、加熱素子又は熱源と堆積する材料のためのリザーバとを分離することができる。熱源とリザーバとを分離することにより、源管理及び保守がより簡単になり得る。源管理及び保守がより簡単になり得るのは、リザーバの交換又は加熱ユニットの交換が、一体化したリザーバと加熱ユニットとの交換と比べて、小規模な交換だからである。図４に示される他の要素は、図１から図３及び図５から図８に関して本明細書中で説明される他の実施形態に対応するので、ここでは繰返しを避けるために省略される。
【手続補正１４】
【補正対象書類名】明細書
【補正対象項目名】００３２
【補正方法】変更
【補正の内容】
【００３２】
[００４０]  図３に示されるように、本明細書中で説明されるいくつかの実施形態によれば、電子銃３４０を有するｅ−ビーム蒸発源は、蒸発領域１２１ｂ及びシャワーヘッド１０６が同一のエンクロージャの一部である、又は同一のエンクロージャ内部にあるように、蒸発領域１２１ｂを提供する。したがって、蒸発物又は蒸気を加熱した下流の導管でシャワーヘッドに「供給する」いかなる必要性もが排除される。遠隔で蒸気を生成するために、導管の加熱が、堆積ゾーンへの通路に沿った蒸発物又は蒸気の凝縮を避けるために提供されるだろう。図４に示されるように、輻射熱方法により前駆体を加熱する輻射ヒータ又は方法はまた、例えば、直線的蒸発源などのより単純な蒸発源を提供する。再び、蒸発領域１２１ｂ及びシャワーヘッド１０６は、同一のエンクロージャの一部である、又は同一のエンクロージャの内部にある。また、加熱された下流の導管も排除できる。
【手続補正１５】
【補正対象書類名】明細書
【補正対象項目名】００３３
【補正方法】変更
【補正の内容】
【００３３】
[００４１]  本明細書中で説明される実施形態によれば、図３及び図４に関して説明される加熱ユニットを提供することができる。加熱ユニットは、材料を蒸発させるために加熱する輻射ヒータ、材料を蒸発させるために加熱する電子ビーム銃、及び蒸気分配シャワーヘッドを加熱するヒータから成るグループの少なくとも一つの要素を備えることができる。材料を蒸発させるために加熱する、即ち、原材料を融解及び蒸発させる加熱ユニットは、例えば、輻射ヒータの場合には光子を、例えば、電子銃の場合には電子を放出する。光子及び電子は、光子又は電子が衝突すると、材料を加熱する。更なる実施形態によれば、シャワーヘッドでの融解及び蒸発（又は昇華）のための熱生成はまた、電気ヒータ又は別の加熱要素により提供することもできる。例えば、るつぼは、るつぼを流れる電流により、又はるつぼにおいて又はるつぼ内に提供される電気ヒータ巻線を流れる電流により、加熱することができる。
【手続補正１６】
【補正対象書類名】明細書
【補正対象項目名】００３４
【補正方法】変更
【補正の内容】
【００３４】
[００４２]  挿入される蒸発エネルギーの制限が（例えば、スパッタ堆積と比べて）ほとんどない又は全くないという事実を考慮すると、本明細書中で説明される実施形態は、より高い堆積速度を可能にする。源供給システムは、蒸発ゾーンの構成要素の高度に制御されたハードウェア構成に対する原材料の連続的又は準連続的供給を可能にするとも考えられるべきである。加熱機構の好ましい制御、及び蒸発ゾーン、即ち、原材料の源の最上層又は源の最上層の真上にある領域の好ましい制御を提供することができる。
【手続補正１７】
【補正対象書類名】明細書
【補正対象項目名】００３５
【補正方法】変更
【補正の内容】
【００３５】
[００４３]  また更に、本明細書中で説明される実施形態によれば、加熱及び蒸発するとより単純な化合物に解離する可能性のあるいくつかの多元素誘電体材料及び／又はセラミックの改善された堆積を可能にするために、プラズマ強化が提供される。また、成長動態及び表面形態の調節、即ち、表面形態、膜密度などの制御を、必要に応じて提供することができる。プラズマ強化の使用は、例えば、より滑らかでピンホールのない堆積を提供するために、堆積現象の強化を提供し、これは、本明細書中で説明される材料及びデバイスの品質の高い層にとって重大な態様であり得る。
【手続補正１８】
【補正対象書類名】明細書
【補正対象項目名】００３６
【補正方法】変更
【補正の内容】
【００３６】
[００４４]  プラズマ強化堆積によるより滑らかでピンホールのない堆積のために成長動態調節を改善することにより、コスト削減及びより優れたデバイスがもたらされる。コスト削減は、より滑らかな及び／又はピンホールのない誘電体材料に起因するより高い歩留りにより提供され得る。例えば、滑らかなＬＣＯにより、電気化学デバイスの内部短絡のリスク低下のために、より共形のＬｉＰＯＮがもたらされるだろう。更に、より滑らかなＬｉＰＯＮの堆積及びピンホールのほとんどないＬｉＰＯＮの堆積だけで、内部短絡のリスクが低下するだろう。別の態様によれば、コスト削減は、ピンホールのほとんどないＬｉＰＯＮから提供することができ、この場合、そのような層は、ピンホールの量が減らされる又はピンホールが除去される場合に、より薄く堆積させることができる。層が薄くなれば、結果として、その層のコストも削減される。また更に、性能強化が、より薄いＬｉＰＯＮ層によって提供でき、高い電力及び充電能力に対するより低い内部抵抗につながる。また更に、追加的に又は代替的に、ターゲット製造コストを排除することにより、スパッタリングと比べて、コスト削減を提供することができる。ＬｉＰＯＮのＰＥ−ＥＢＥＡＭ堆積が優れた相形成をもたらすことが実証されている。
【手続補正１９】
【補正対象書類名】明細書
【補正対象項目名】００３８
【補正方法】変更
【補正の内容】
【００３８】
[００４６]  図５及び図６は、本発明の様々な実施形態による処理チャンバの二つの直線的シャワーヘッドの外面の概略図を示す。図５は、例えば、図１から図４に示されるような直線的シャワーヘッド５０６及び５１６を囲むチャンバ壁１０２を示す。この実施形態では、例えば、図７に対して説明される遠隔プラズマ生成用の、直線的蒸気分配シャワーヘッド５０６及び直線的プラズマ分配シャワーヘッド５１６各々が、通路５０７及び５１７をそれぞれ有しており、それらの直径は同一である。図６に示される実施形態では、直線的ガス分配シャワーヘッド６０６は、直線的蒸気分配シャワーヘッド６０６から処理領域内へプロセス蒸気流動を調節するための変動直径通路６１７及び６１８を有する。通路の他の非円形断面形状が使用されてもよく、その場合、断面の周径又は周長は、サイズにより変化する。例えば、同一の直線的ガス分配シャワーヘッド上の他の正方形ガス通路と比べて小さな断面周長を有する正方形の断面通路が使用されてもよい。周長は、概して、非円形形状と併せて使用されるが、円形形状及びしたがって、それらの対応する周径をも包含し得る。ガス通路の他の様々な形状及びサイズが本発明の実施形態の範囲内であり、当業者には、すぐに特定することができる。図５及び図６は、図７に関するような二つのシャワーヘッド構成を示すが、直線的ガス分配シャワーヘッド１０６の何れかが、本明細書中で説明される実施形態による処理チャンバ本体１００で使用されてもよい。
【手続補正２０】
【補正対象書類名】明細書
【補正対象項目名】００３９
【補正方法】変更
【補正の内容】
【００３９】
[００４７]  図７は、堆積装置７００の別の実施形態を示す。図１から図６を参照して先ほど説明された実施形態のいくつかの態様、特徴及び詳細を、図７に関して説明される態様、特徴及び詳細と組み合わせることができる。図１から図６の態様、特徴及び詳細は、繰返しを避けるために省略される。図７は、処理チャンバ本体１００の別の概略断面図を示す。本明細書中で説明される他の実施形態に関して示されるプラズマ生成構成要素の代替として、又はそのプラズマ生成構成要素に追加的ないくつかの実施形態によれば、図７は、遠隔プラズマ源７１８を示す。本明細書中の他の図面に関して既に説明されたように、装置は、チャンバ壁１０２を有する処理チャンバ本体１００を含む。処理領域１０５は、チャンバ壁１０２、基板１０４、直線的蒸気分配シャワーヘッド１０６、及び直線的遠隔プラズマ分配シャワーヘッド７１６により画定される。
【手続補正２１】
【補正対象書類名】明細書
【補正対象項目名】００４３
【補正方法】変更
【補正の内容】
【００４３】
[００５１]  図１に示されるシャワーヘッドは直線的シャワーヘッドであるが、他の形状のシャワーヘッドもまた、本明細書に記載の実施態様の範囲内にある。シャワーヘッドがどのような形状を有するかは、チャンバの種類と基板の形状との両方により決まるだろう。例えば、点源、即ち、単一のノズル、又は円形のシャワーヘッドが、半導体ウエハを処理するときなどに、円形基板を処理するチャンバに選ばれ得る。長方形のシャワーヘッドが大きな長方形基板の処理に選ばれ得るのに対して、バッチプロセスもまたこれらの種類のシャワーヘッド形状をより好ましくし得る。大面積の長方形又は正方形基板の連続的インライン処理には、基板がシャワーヘッドのそばを通る際に、基板上で処理ガスの分配をより好ましく制御するために、直線的シャワーヘッドが選択され得る。したがって、有益な直線的蒸気分配シャワーヘッドが、特にインライン又は動的処理装置に使用できる。円形、長方形、又は二つ以上の直線的蒸気分配シャワーヘッドが、様々な形状及びサイズの基板の静的堆積に使用できる。
【手続補正２２】
【補正対象書類名】明細書
【補正対象項目名】００４４
【補正方法】変更
【補正の内容】
【００４４】
[００５２]  本明細書中で説明される他の実施形態と組み合わせることができるいくつかの実施形態によれば、材料が、例えば、ロッド、粉末などの固体形状で、又は別の固体形状で、シャワーヘッドに提供される。エネルギー源は、光子又は電子を材料上に向け、この結果、融解又は蒸発により若しくは昇華により、材料の蒸気がシャワーヘッドで生成される。本明細書中で理解されるシャワーヘッドは、シャワーヘッドの圧力がシャワーヘッドの外側よりも高くなるように、例えば、少なくとも一桁分は高くなるように、材料をその内部に供給することができ、その内部に穴を有するエンクロージャを有する。本明細書中で説明される他の実施形態と組み合わせることができる典型的な実施形態によれば、蒸気分配シャワーヘッドは、円形の管などの細長い管、又は例えば正方形のシャワーヘッドの場合には、細長い直方体とすることができる。管又は直方体は、中空の体積周囲にエンクロージャを形成する。円形のシャワーヘッドに対して、中空の体積を有するディスク形状の円筒本体がまた提供されてもよい。加熱要素を、先述の中空の体積それぞれに提供できる。エンクロージャは、蒸気を基板に向けるための一つ又は複数の排気口を提供する。一つ又は複数の排気口は、エンクロージャにおいて提供されるノズル又は穴とすることができる。
【手続補正２３】
【補正対象書類名】明細書
【補正対象項目名】００４５
【補正方法】変更
【補正の内容】
【００４５】
[００５３]  蒸気分配シャワーヘッドに提供される排気口、例えば、ノズル３６０は、例えば、リチウム含有誘電体などの誘電体材料の蒸気を基板１０４に案内又は方向付ける。典型的な実施形態によれば、排気口又はノズルはまた、蒸気分配シャワーヘッドの穴として提供することもできる。更に、直線的蒸気分配シャワーヘッドについて、穴又はノズルの配置は、例えば、穴又はノズルの一又は複数のラインであり得る。長方形の蒸気分配シャワーヘッドについては、穴又はノズルを、長方形の形状に沿って又は長方形の形状内部に分配させることができる。円形の蒸気分配シャワーヘッドについては、穴又はノズルを、円形の形状に沿って又は円形の形状内部に分配させることができる。通常、穴又はノズルを、蒸気の基板１０４への堆積が均一であるように、分配させることができる。穴又はノズルを、先ほど説明した形状のうちの一つに沿って、少なくとも部分的に均一に分配させることができる。しかしながら、形状の周長におけるエッジ効果を補償するために、図５及び図６に関して説明された例については、穴又はノズルの密度を蒸気分配シャワーヘッドのいくつかの領域で変化させることができる。
【手続補正２４】
【補正対象書類名】明細書
【補正対象項目名】００４６
【補正方法】変更
【補正の内容】
【００４６】
[００５４]  図８に関して説明されるように、また更なる堆積装置８００の実施形態を提供することができる。装置は、例えば、図示されるように、連続的インラインエレクトロクロミックデバイス生産プロセスで基板１０４を処理するための、処理チャンバ本体１００を有する。例えば、電気化学デバイスは、固体薄膜バッテリ又はエレクトロクロミックウインドウデバイスとすることができる。処理チャンバは、チャンバ壁１０２を含む。処理領域は、チャンバ内の、基板１０４と図３に示される直線的シャワーヘッド１０６のような分配シャワーヘッド１０６との間に提供される。本明細書中で説明される他の実施形態と組み合わせることができるいくつかの実施形態によれば、内部に設けられたウエハ８３２を有する基板支持体８３０を提供することができる。例えば、蒸気を所定の領域の基板上に堆積するためのスリット開孔のような開孔を更に提供することができる。
【手続補正２５】
【補正対象書類名】明細書
【補正対象項目名】００４７
【補正方法】変更
【補正の内容】
【００４７】
[００５５]  また更なる実施形態によれば、処理領域１０５の高さは、４００ｍｍから２０００ｍｍの範囲、例えば、４４０ｍｍとすることができる。処理領域の高さは、蒸気分配シャワーヘッドの高さ及び／又はチャンバ本体１００に提供される蒸気分配シャワーヘッド又はノズルの数によって決定することができる。
【手続補正２６】
【補正対象書類名】明細書
【補正対象項目名】００４８
【補正方法】変更
【補正の内容】
【００４８】
[００５６]  また図８に示される実施形態では、原材料は、ｅ−ビームに基づく加熱により融解及び蒸発する。電子銃３４０は、電子ビーム３４１をるつぼ３５０の材料上に向ける。材料は、るつぼの融解領域を表す参照番号１２１により示されるように融解し、蒸気領域又は蒸発領域を表す参照番号１２１ｂにより示されるように蒸発する。蒸気は、蒸気分配器内部に分配し、ノズル３６０を通って基板に向けられる。いくつかの実施形態によれば、堆積される材料の蒸気は、基板１０４上に堆積される前に、処理領域のプラズマ１３０を通過する。本明細書中で説明されるように、るつぼは、非常に高い温度に耐えることができるコンテナ又はホルダである。更に、るつぼは、冷却することができ、本明細書中で説明される実施形態によるるつぼは、るつぼに設けられる及びるつぼを通る材料のロッドを保持することができる。
【手続補正２７】
【補正対象書類名】明細書
【補正対象項目名】００５０
【補正方法】変更
【補正の内容】
【００５０】
[００５８]  図８に示されるように、本明細書中で説明されるいくつかの実施形態によれば、電子銃３４０を有するｅ−ビーム蒸発源は、蒸発領域１２１ｂ及びシャワーヘッド１０６が同一のエンクロージャの一部である、又は同一のエンクロージャ内部にあるように、蒸発領域１２１ｂを提供する。したがって、蒸発物又は蒸気を加熱した下流の導管で「供給する」いかなる必要性もが排除される。導管の遠隔蒸気生成加熱が、堆積ゾーンへの通路に沿った蒸発物又は蒸気の凝縮を回避するために提供されるだろう。
【手続補正２８】
【補正対象書類名】明細書
【補正対象項目名】００５１
【補正方法】変更
【補正の内容】
【００５１】
[００５９]  本明細書中で説明される他の実施形態と組み合わせることができるいくつかの実施形態によれば、原材料１２０は、矢印１２２により示されるように、シャワーヘッド内に提供される。原材料は、更なるチャンバ８０２から固体材料としてシャワーヘッド内に供給される。原材料は、るつぼ３５０に提供される。るつぼは、るつぼを冷却するための冷却要素３５２を有する。チャンバに供給され冷却されたるつぼを通る原材料は、第１のバルブユニット８１４を通ってチャンバ８０２に挿入することができる。バルブユニット８１４を閉じると、チャンバ８０２を排気することができる。したがって、チャンバは通常、真空フランジ８０４を有する。チャンバ８０２の圧力を十分に低下させると、チャンバ本体１００と更なるチャンバ８０２とを結合するバルブユニット８１２を開くことができ、原材料の連続的供給を可能にするために、原材料をるつぼ内に供給することができる。典型的には、原材料は、それぞれの装置設計に対して所望通りに提供することができる、一つ又は複数のハンドリングシステム又は原材料輸送システムにより、矢印１２２に沿って又はチャンバ８０２内部に移動させることができる。代表的な供給ユニットが、矢印１２２の方向に材料を移動させることができる供給ユニット８２２により示される。供給ユニット８２２は、材料及び／又はるつぼ（図示されず）を移動させるローラとして、又はるつぼを矢印１２２の方向に前進させるためのるつぼのねじ山と機械的に接触するホイールとして、提供することができる。任意で、材料の比較的小さな移動をより好ましく提供するために、ギアを提供することができる。供給ユニットの別の例は、原材料の後続のロッドをチャンバ８０２で上に向け移動させ、材料１２０をチャンバ本体１００で上に向けてスライドさせる又は押すアクチュエータとすることができる。
【手続補正２９】
【補正対象書類名】明細書
【補正対象項目名】００５２
【補正方法】変更
【補正の内容】
【００５２】
[００６０]  Ｌｉ含有誘電体蒸発のための堆積設備及び対応する堆積装置を操作する実施形態が、図９を参照してここで説明される。ブロック９０２では、蒸発する材料は、例えば、るつぼにより又はるつぼを通して、蒸気分配シャワーヘッドに案内される。蒸発する材料は、ブロック９０４において、蒸気分配シャワーヘッドで融解又は気化する。融解又は気化は、例えば、電子又は光子のような粒子の衝突により行われる。例えば、熱輻射加熱又は電子ビーム加熱での輻射加熱を、蒸気分配シャワーヘッドで材料を融解するために、提供することができる。ブロック９０６では、蒸気が、蒸気分配シャワーヘッドの一つ又は複数の排気口を通って基板に向けられる。ブロック９０８により示されるように、プラズマ領域が、蒸気分配シャワーヘッドの排気口と基板との間に提供できるように、プラズマが点火される。蒸気分配のプラズマ強化を提供することができる。任意で、基板への堆積前又は堆積中に蒸気の処理ガスとの反応を更に可能にするために、反応性処理ガスのような処理ガスをプラズマ領域内に提供することが更に可能である。処理ガスの提供は、任意のブロック９１０により示される。また、更に任意で、先ほど説明されたように、基板又はそれぞれのキャリアには、プラズマ生成に加え、バイアスをかけることができる。これにより、基板のバイアスを、プラズマ強化堆積特徴の更なる強化に利用することができる。
【手続補正３０】
【補正対象書類名】明細書
【補正対象項目名】００５４
【補正方法】変更
【補正の内容】
【００５４】
[００６２]  したがって、プラズマ強化のため、本発明の実施形態はまた、ピンホールを最小化し、場合によってはピンホールを排除し、滑らかな表面を形成するために、堆積する膜層の表面形態の改善された制御を提供し得る。したがって、既存の層又は追加の共堆積核種との反応相形成の誘導を改善する。更に、上述した改善は、低い処理温度で実現することができる。例えば、ＬｉＣｏＯ２又はＬｉ３ＰＯ４は、プラズマ強化により蒸発すると解離するであろうから、プラズマ強化は、正確な相形成に有益である。他の材料、例えば、ＳｉＯ２、Ｓｉ３Ｎ４、Ａｌ２Ｏ３などは、堆積層の結晶化度、形態、及び／又は密度のような他の方法において、プラズマ強化に関する利益を有することができる。しかし、そのような利益はまた、ＬｉＣｏＯ２及びＬｉ３ＰＯ４にも当てはまる。
【手続補正３１】
【補正対象書類名】明細書
【補正対象項目名】００５５
【補正方法】変更
【補正の内容】
【００５５】
[００６３]  個々の実施形態の利用次第で部分的に又は完全に提供できる先述の利益に加え、扱いやすさから、製造可能性の改善がもたらされるだろう。例えば、粉末又は小さな材料片を、シャワーヘッドに提供することができる。粉末又は小さな材料片を提供することは、非常に大きなターゲットをスパッタリングに提供することと比較される。本明細書中で説明される実施形態による材料供給は、チャンバ通気口を含まない、又は予防整備要件が低減された連続的供給の可能性を更に提供する。